(57)【要約】【課題】  街路歩行者からの視認性を向上させ安定して歩行できる効率的な公園照明を実現する。【解決手段】  公園１の敷地内で街路２との境界付近に設置されるポール灯４を用いて照明し、かつ前記ポール灯４からの光を略公園側を主体として放出する。街路歩行者３から見た公園１内の状態がシルエットではなく、逆シルエットとして見ることができる。このように不安に感じやすい街路２側領域を重視した照明方法により、効率良く視認性を向上することができ、安心して歩行することができる。また、窃盗や身体犯罪目的に歩行者３を狙う犯罪企図者からすると、街路側から照射されることにより歩行者３に発見されやすくなるため、高い犯罪抑止効果がある。【選択図】  図１
2005158279.tif 000002
【特許請求の範囲】
【請求項１】
公園の敷地内で街路との境界付近に設置されるポール灯を用いて照明し、かつ前記ポール灯からの光を略公園側を主体として放出することを特徴とする照明方法。
【請求項２】
前記ポール灯からの光を略公園側を主体として略方形に放出する請求項１記載の照明方法。
【請求項３】
前記ポール灯の光源の高さを地面から４ｍ以下とした請求項１記載の照明方法。
【請求項４】
前記ポール灯は、街路と公園の間に設けられる防護柵のない箇所付近に設置する請求項１，２または３記載の照明方法。
【請求項５】
公園の敷地内で街路との境界付近に設置される光源を備え、前記光源からの光を略公園側を主体として放出するようにしたことを特徴とするポール灯。
【発明の詳細な説明】
【技術分野】
【０００１】
この発明は、照明方法およびポール灯に関するものである。
【背景技術】
【０００２】
従来、図８に示すように、公園の照明器具４は、公園の規模にもよるが、公園１内中心付近と出入口部、または中心付近に設置されることが多い。２は街路、３は歩行者である。小規模（５００ｍ2程度まで）の公園であれば中心部に１灯程度、また、２５００ｍ2程度の街区公園では中心部に数灯と出入口部に１灯設置するような事例が多い。公園に設置される照明器具の高さは４〜５ｍ程度のポールの上部に取り付けられ、照明器具の配光は全方向へ照射し、できるだけ広い範囲に照明するように設置している。
【０００３】
また、投光器から所定の形状に成形された光が放出され、漏れ光の少ない照明を実現した照明方法として特許文献１がある。
【特許文献１】特開２００１−３５１４０５号公報
【発明の開示】
【発明が解決しようとする課題】
【０００４】
近年は、犯罪が増加傾向にあり、犯罪に住民の不安感も増加してきており、安全で安心な都市空間の整備が望まれている。都市空間において住民が不安に感じる場所として、公園など公共空間周辺であることが多い。これは、周辺住民の目が自然とは行き届きにくく、自然監視性が低い場所であり、何かあっても救援の期待が低いためであることとともに、植栽や物陰に不審者が潜んでいるかもしれないといった、人の存在が確認しづらいためであることが言える。
【０００５】
従来の公園照明方法では、公園内部の中心付近は明るいが公園内街路側が暗く、街路歩行者から公園を見ると、公園内街路側の植栽付近の視認性が悪く、人の存在が分かりづらい問題があった。また、街路側も含めて全体を照明するためには照明器具を公園内に多く設置する必要があり、省エネルギーの観点から問題があった。
【０００６】
したがって、この発明の目的は、上記問題点を鑑みてなされたものであり、街路歩行者からの視認性を向上させ安定して歩行できる効率的な公園照明を実現できる照明方法およびポール灯を提供することである。
【課題を解決するための手段】
【０００７】
上記課題を解決するためにこの発明の請求項１記載の照明方法は、公園の敷地内で街路との境界付近に設置されるポール灯を用いて照明し、かつ前記ポール灯からの光を略公園側を主体として放出する。
【０００８】
請求項２記載の照明方法は、請求項１記載の照明方法において、前記ポール灯からの光を略公園側を主体として略方形に放出する。
【０００９】
請求項３記載の照明方法は、請求項１記載の照明方法において、前記ポール灯の光源の高さを地面から４ｍ以下とした。
【００１０】
請求項４記載の照明方法は、請求項１，２または３記載の照明方法において、前記ポール灯は、街路と公園の間に設けられる防護柵のない箇所付近に設置する。
【００１１】
請求項５記載のポール灯は、公園の敷地内で街路との境界付近に設置される光源を備え、前記光源からの光を略公園側を主体として放出するようにした。
【発明の効果】
【００１２】
この発明の請求項１記載の照明方法によれば、公園の敷地内で街路との境界付近に設置されるポール灯を用いて照明し、かつポール灯からの光を略公園側を主体として放出するので、街路歩行者から見た公園内の状態がシルエットではなく、逆シルエットとして見ることができる。このように不安に感じやすい公園内の街路側領域を重視した照明方法により、効率良く視認性を向上することができ、安心して歩行することができる。また、窃盗や身体犯罪目的に歩行者を狙う犯罪企図者からすると、街路側から照射されることにより歩行者に発見されやすくなるため、高い犯罪抑止効果がある。
【００１３】
請求項２では、ポール灯からの光を略公園側を主体として略方形に放出するので、公園内街路側に暗い領域がなくなり、街路歩行者から見た死角部をなくすことができる。
【００１４】
請求項３では、ポール灯の光源の高さを地面から４ｍ以下としたので、樹木の影響を受けないようにすることができる。
【００１５】
請求項４では、ポール灯は、街路と公園の間に設けられる防護柵のない箇所付近に設置するので、防護柵のある場所には設置しないことによりポール灯の台数を減らすことができる。
【００１６】
この発明の請求項５記載のポール灯によれば、公園の敷地内で街路との境界付近に設置される光源を備え、光源からの光を略公園側を主体として放出するようにしたので、街路歩行者から見た公園内の状態がシルエットではなく、逆シルエットとして見ることができる。このように不安に感じやすい街路側領域を重視した照明を実現できるため、請求項１と同様に効率良く視認性を向上することができ、安心して歩行することができる。
【発明を実施するための最良の形態】
【００１７】
この発明の第１の実施の形態を図１ないし図４に基づいて説明する。図１（ａ），（ｂ）は本発明の第１の実施形態における公園照明器具の設置状態を示す概念図である。
【００１８】
図１に示すように、公園照明器具（ポール灯）４は、公園１の敷地内の街路２との境界付近に設置される光源を備え、公園１側に光を照射する。すなわち、照明器具４の光源からの光を略公園１側を主体として放出するようにしている。この場合、照射する領域（照射範囲）１０の形状は図１（ａ）のように略方形とするが、図１（ｂ）のように略方形にとらわれない形状であってもよい。また、照明器具４からの光の一部を公園１の外側の街路２に放出している。
【００１９】
この照明器具４を用いた照明方法により、歩行者３から見た公園１の中の状態がシルエットではなく、逆シルエットとして見ることができるとともに、公園内街路側に照射されることによりさらに視認性が向上する。また、照射範囲１０を略方形とすることで、公園内街路側に暗い領域がなくなり、街路歩行者３から見た死角部をなくすことができる。
【００２０】
図２は図１の断面図である。図２に示すように、公園１には街路２との境界付近に植栽があることが通常である。公園照明器具４の取付位置が樹木の枝葉で覆われるような場合は遮光されてしまい、公園を照明することはできない。そのため、照明器具４の取付高さは、地面から４ｍ以下とし、樹木の影響を受けないようにする。
【００２１】
図３は本発明の第１の実施形態において公園の大きさが大きいときの公園照明器具の設置状態を示す概念図である。図３に示すように、公園１の街路２側と接する長さが照明器具４の照射範囲１０を超える場合には、照明器具４を複数台設置し、暗い領域をなくすようにする。
【００２２】
図４は本発明の第１の実施形態において防護柵がある場合の公園照明器具の設置状態を示す概念図である。ここでいう防護柵とは、公園へ人の出入りができないように設置された設備のことであり、短時間で乗り越えることができるような設備は含まないものとする。図４に示すように、照明器具４は防護柵５のある場所には設置せず、ない場所にのみ設置する。これにより、設置する照明器具４の台数を削減することができる。
【００２３】
この発明の第２の実施の形態を図５ないし図７に基づいて説明する。図５は本発明の第２の実施形態における公園照明器具の設置状態を示す概念図である。
【００２４】
本実施形態では、第１の実施形態において、街路歩行者を検知した場合に、検知しない場合とは異なる照明を行うことを特徴としている。
【００２５】
図５に示すように、公園照明器具（ポール灯）４は、公園１の敷地内の街路２との境界付近に設置される光源の他にセンサ６を備えている。センサ６のセンサ検知範囲７は、公園１に隣接した街路２で、公園照明照射範囲１０に沿った範囲である。歩行者検知用センサ６を公園照明器具４付近に設置し、街路２に歩行者がいる状態でセンサ６により検知したときに照明器具４の点灯状態が変化するものである。街路歩行者がいない状態、つまり街路２を利用していない状態では、公園照明器具４の高出力を調光により低く抑えるものであり、省エネルギーを実現するシステムである。また、街路歩行者がいない状態では、照明器具４は消灯するように設定してもよい。
【００２６】
図６は本発明の第２の実施形態における公園照明器具の設置状態の他の例を示す概念図である。図６に示すように、一つの照明器具４に対し、複数のセンサ６を設置している。この場合、一対のセンサ６ａを街路２に面する公園１内の両端に設置するとともに、一対のセンサ６ａ間に設置された照明器具４付近にもセンサ６を設置している。一対のセンサ６ａはポールに取り付けてある。いずれのセンサ６，６ａで検知した場合にも検知信号が照明器具４に送信され、照明器具４からの光出力を上げるようにしている。このことにより、センサ検知範囲７を狭くすることができる。
【００２７】
図７は本発明の第２の実施形態における公園照明器具の設置状態の他の例を示す概念図である。図７に示すように、照明器具４に設置されたセンサ６のセンサ検知範囲７が街路２と公園１内にある。公園１内の人を検知した場合にも照明器具４の光出力が上がり、公園１内の人の存在が分かりやすくなる。センサ検知範囲７は、公園１内と街路２の両方としたが、街路２のみでもよい。
【図面の簡単な説明】
【００２８】
【図１】（ａ），（ｂ）は本発明の第１の実施形態における公園照明器具の設置状態を示す概念図である。
【図２】図１の断面図である。
【図３】本発明の第１の実施形態における公園照明器具の設置状態の他の例を示す概念図である。
【図４】本発明の第１の実施形態における公園照明器具の設置状態の他の例を示す概念図である。
【図５】本発明の第２の実施形態における公園照明器具の設置状態を示す概念図である。
【図６】本発明の第２の実施形態における公園照明器具の設置状態の他の例を示す概念図である。
【図７】本発明の第２の実施形態における公園照明器具の設置状態の他の例を示す概念図である。
【図８】従来例の公園照明方法を示す概念図である。
【符号の説明】
【００２９】
１  公園
２  街路
３  歩行者
４  公園照明器具
５  防護柵
６  センサ
６ａ  センサ
７  センサ検知範囲
１０  照射範囲
【図１】
2005158279.tif 000003
【図２】
2005158279.tif 000004
【図３】
2005158279.tif 000005
【図４】
2005158279.tif 000006
【図５】
2005158279.tif 000007
【図６】
2005158279.tif 000008
【図７】
2005158279.tif 000009
【図８】
2005158279.tif 000010